(57)【要約】【課題】集塵性能が向上しメンテナンスの軽減が図れる電気掃除機を提供すること。【解決手段】塵埃を含む空気を旋回させ塵埃分離する略円筒状の１次旋回室２４と、１次旋回室２４に連通した２次旋回室２９と、１次旋回室２４の下方に位置し塵埃を溜める集塵室２５と、塵埃を圧縮する圧縮板３２と、塵埃が流入する流入口３０を有し、圧縮板３２の底面の一部に突出部３３を流入口３０から見て集塵室２５の奥側に配設する構成としたことより、集塵室２５内に入った塵埃は、圧縮板３２の突出部３３に引っかかり動きが止められ、流れに乗って２次旋回室２９や１次旋回室２４側に戻ることが無いため集塵性能が向上し、排気筒２６の詰まり防止によるメンテナンスの軽減を図ることができる。【選択図】図２
2013085590.tif 000002
【特許請求の範囲】
【請求項１】
吸引力を発生させる電動送風機と、前記電動送風機の上流側に設置され前記電動送風機により吸引した塵埃を含む空気を旋回させ塵埃分離する略円筒状の１次旋回室と、
前記１次旋回室に連通した一部分に円弧形状を有する２次旋回室と、
前記２次旋回室と連通し、前記２次旋回室からの塵埃を溜める集塵室と、
前記集塵室にたまった塵埃を圧縮するための、前記集塵室の軸方向に昇降可能な圧縮板と、からなるサイクロン式の電気掃除機において、
前記１次旋回室の外郭周方向には、塵埃を含む空気を吸引するための吸気口と、前記１次旋回室の中心付近には、通気部を備え塵埃分離した空気を排出するための排気筒とを構成し、
前記集塵室の中央部が、前記２次旋回室の軸中心より水平方向にずらして配置されることによって、前記２次旋回室の円周の内側に、前記２次旋回室と前記集塵室を隔てる壁部が形成され、前記壁部には、２次旋回室で旋回する塵埃が前記集塵室に流入する流入口を有し、
前記圧縮板の底面の一部に下向きの単一または複数の突出部を前記流入口から見て前記集塵室の奥側に配設する構成とした電気掃除機。
【請求項２】
前記突出部は、前記圧縮板の内部に収容可能な構成とした請求項１に記載の電気掃除機。
【請求項３】
前記突出部は、弾性部材の付勢により前記圧縮板より突出する構成とした請求項１または２に記載の電気掃除機。
【発明の詳細な説明】
【技術分野】
【０００１】
本発明は、サイクロン式電気掃除機の集塵室に関するものである。
【背景技術】
【０００２】
近年、吸引した空気に旋回成分を持たせ、遠心力により気流から塵埃を分離除去するタイプの電気掃除機、いわゆるサイクロン式の電気掃除機が注目を浴びている。この種の電気掃除機において、図９および図１０に示すように、塵埃と空気を旋回させる円筒形状の旋回室１と、旋回室１の中央部分に設けられたメッシュ状のフィルター２を装着した排気筒３と、旋回室１の接線方向に形成された吸気口４と、旋回室１の天面中央部分に設けられた、塵埃が除去された空気を、排気筒を介して旋回室から排出する排気口５と、旋回室１の下側に隣接して設けられた集塵室６と、集塵室６の下部から複数の遮蔽板７を中心から内周壁に向かって放射状に突出し、また、遮蔽板７の側縁部に旋回気流の風上方向に向かって突出するリブ８を形成したものがある（例えば特許文献１参照）。
【先行技術文献】
【特許文献】
【０００３】
【特許文献１】特開２００２−１４３０５２号公報
【発明の概要】
【発明が解決しようとする課題】
【０００４】
しかしながら、特許文献１の集塵室６では、旋回室１から集塵室６に移り旋回する塵埃は、遮蔽板７やリブ８に当たることにより失速することで気流から分離され集塵室６の下部に落下する。しかしながら、失速した塵埃は固定されているわけではないので、気流にのって再び舞い上がり旋回室１に戻ってしまう。この結果、旋回室１に戻った細塵は、排気筒３を通過して排気口５から排出されるので、この分集塵性能が悪いという課題があった。
【０００５】
特に、集塵室６に大量の塵埃が溜まると、集塵室６の上方にたまっている塵埃が旋回室１に接近するため、旋回室１の旋回気流に乗って再び舞い上がり旋回室１に戻り、前記課題と同様に集塵性能がさらに悪くなり、かつ粗塵は排気筒３のメッシュ状のフィルター２に付着して、吸引能力を低下させるので、排気筒３のメンテナンスが頻繁に必要になるという課題があった。
【０００６】
本発明は、上記従来の課題を解決するもので、集塵性能の向上や排気筒のメンテナンスを軽減できる集塵ケースを具備する電気掃除機を提供する。
【課題を解決するための手段】
【０００７】
上記目的を達成するために本発明の電気掃除機は、吸引力を発生させる電動送風機と、前記電動送風機の上流側に設置され前記電動送風機により吸引した塵埃を含む空気を旋回させ塵埃分離する略円筒状の１次旋回室と、
前記１次旋回室に連通した一部分に円弧形状を有する２次旋回室と、
前記２次旋回室と連通し、前記２次旋回室からの塵埃を溜める集塵室と、
前記集塵室にたまった塵埃を圧縮するための、前記集塵室の軸方向に昇降可能な圧縮板と、からなるサイクロン式の電気掃除機において、
前記１次旋回室の外郭周方向には、塵埃を含む空気を吸引するための吸気口と、前記１次旋回室の中心付近には、通気部を備え塵埃分離した空気を排出するための排気筒とを構成し、
前記集塵室の中央部が、前記２次旋回室の軸中心より水平方向にずらして配置されることによって、前記２次旋回室の円周の内側に、前記２次旋回室と前記集塵室を隔てる壁部が形成され、前記壁部には、２次旋回室で旋回する塵埃が前記集塵室に流入する流入口を有し、
前記圧縮板の底面の一部に下向きの単一または複数の突出部を前記流入口から見て前記集塵室の奥側に配設する構成としたものである。
【０００８】
このような発明によって、２次旋回室を旋回する空気は、流入口に対する僅かな動圧、空気への遠心力、２次旋回室と集塵室との圧力差等により流入口の一部分から集塵室へ少量流入するので、空気は減速して集塵室内をゆっくり旋回する。そして、集塵室に流入した塵埃は再び空気により流入口から２次旋回室へ戻ることもなく、自重により空気から分離して集塵室に溜まる。
【０００９】
そのとき、集塵室内に入った塵埃は、圧縮板の突出部に引っかかり動きを止める。そしてそれを核にして塵埃が溜まっていく。その突出部は、集塵室の奥にあるので、集塵室の奥のほうから塵埃が堆積して行き、その後奥から流入口に向けて順に堆積していくため、集塵室に隙間なく塵埃が堆積する。
【００１０】
そしてその後、塵埃を分離した旋回する空気は２次旋回室の中央から１次旋回室へ戻り、通気部から外部へ排気される。
【発明の効果】
【００１１】
本発明の電気掃除機は、集塵室の塵埃が２次旋回室や１次旋回室側に戻ることが無いため集塵性能が向上し、排気筒の詰まり防止によるメンテナンスの軽減を図ることができる。また、集塵室に隙間無く塵埃をためることができるため、集塵室容量を無駄にすることなく所定量の塵埃をためることができる。
【図面の簡単な説明】
【００１２】
【図１】本発明の実施の形態１における電気掃除機の外観図
【図２】同、電気掃除機の掃除中の側方断面図
【図３】同、電気掃除機の掃除中の要部構成を示す斜視断面図
【図４】同、電気掃除機の集塵室と圧縮板を下方から見た斜視図
【図５】（ａ）同、電気掃除機の突出部が突出している状態の要部断面図，（ｂ）同、電気掃除機の突出部が収容されている状態の要部断面図
【図６】同、電気掃除機の掃除中での２次旋回室と集塵室の平面断面図
【図７】同、電気掃除機の集塵ケースを集塵室側から見た側方断面図
【図８】同、電気掃除機の掃除終了後の側方断面図
【図９】従来の電気掃除機のサイクロン集塵装置の側方断面図
【図１０】同、電気掃除機のサイクロン集塵装置の平面断面図
【発明を実施するための形態】
【００１３】
第１の発明は、吸引力を発生させる電動送風機と、前記電動送風機の上流側に設置され前記電動送風機により吸引した塵埃を含む空気を旋回させ塵埃分離する略円筒状の１次旋回室と、
前記１次旋回室に連通した一部分に円弧形状を有する２次旋回室と、
前記２次旋回室と連通し、前記２次旋回室からの塵埃を溜める集塵室と、
前記集塵室にたまった塵埃を圧縮するための、前記集塵室の軸方向に昇降可能な圧縮板と、からなるサイクロン式の電気掃除機において、
前記１次旋回室の外郭周方向には、塵埃を含む空気を吸引するための吸気口と、前記１次旋回室の中心付近には、通気部を備え塵埃分離した空気を排出するための排気筒とを構成
し、
前記集塵室の中央部が、前記２次旋回室の軸中心より水平方向にずらして配置されることによって、前記２次旋回室の円周の内側に、前記２次旋回室と前記集塵室を隔てる壁部が形成され、前記壁部には、２次旋回室で旋回する塵埃が前記集塵室に流入する流入口を有し、
前記圧縮板の底面の一部に下向きの単一または複数の突出部を前記流入口から見て前記集塵室の奥側に配設する構成としたものである。
【００１４】
これにより、集塵室内に入った塵埃は、圧縮板の突出部に引っかかり動きを止める。そしてそれを核にして塵埃が溜まっていく。その突出部は、集塵室の奥にあるので、集塵室の奥から流入口に向けて順に堆積していくため、集塵室に隙間なく塵埃が堆積する。
【００１５】
また、塵埃を分離した旋回する空気は２次旋回室の中央から１次旋回室へ戻り、通気部から外部へ排気されるが、引っかかっている集塵室の塵埃はこの流れに乗って２次旋回室や１次旋回室側に戻ることが無いため集塵性能が向上し、排気筒の詰まり防止によるメンテナンスの軽減を図ることができる。
【００１６】
また、集塵室に隙間無く塵埃をためることができるため、集塵室容量を無駄にすることなく所定量の塵埃をためることができる。
【００１７】
第２の発明は、特に、第１の発明において、前記突出部は、前記圧縮板の内部に収容可能な構成としたものである。
【００１８】
これにより、塵埃の量が小量で、圧縮したときの厚みが突出部の突出長さに満たないなどの場合でも、集塵室の底面等につかえることなく圧縮することができる。
また、塵埃の圧縮によって、塵埃が固形化したときも、つかえることなく圧縮することができる。
【００１９】
第３の発明は、特に、第１または第２に記載の発明において、前記突出部は、弾性部材の付勢により前記圧縮板より突出する構成としたものである。
【００２０】
これにより、弾性部材により決まる所定以上の力を受けたときには突出しないため、塵埃の量が小量で、圧縮したときの厚みが突出部の突出長さに満たないなどの場合に、圧縮板が押し下げられた時に、集塵室の底面等つかえることなく圧縮することができる。
そして、圧縮板が引き上げられたときには弾性部材の弾性により突出部が元のように突出する。
【００２１】
（実施の形態１）
図１〜図８を用いて、本発明の実施の形態１における電気掃除機について説明する。
図１は本発明の実施の形態１を示す電気掃除機の外観図、図２は同電気掃除機の掃除中の側方断面図、図３は同電気掃除機の掃除中の要部構成を示す斜視断面図、図４は同電気掃除機の集塵室と圧縮板を下方から見た斜視図、図５（ａ）は同電気掃除機の突出部が突出している状態の要部断面図、図５（ｂ）は同電気掃除機の突出部が収容されている状態の要部断面図、図６は同電気掃除機の掃除中での２次旋回室と集塵室の平面断面図、図７は同電気掃除機の集塵ケースを集塵室側から見た側方断面図、図８は同電気掃除機の掃除終了後の側方断面図を示すものである。
【００２２】
図１に示すように、掃除機本体１１の外部には、車輪１２およびキャスター１３が取り付けられており、掃除機本体１１は床面を自在に移動できる。集塵ケース１４設置部の下方に設けられた吸引口１５には、吸引ホース１６、ハンドル１７を形成した延長管１８が
順次接続されており、延長管１８の先端に吸込具１９を取り付けられている。
【００２３】
図１と図２に示すように、集塵ケース１４が電動送風機２０を内蔵した掃除機本体１１に対して着脱自在に、かつ水平に対して角度約４５°の傾斜で設置され、掃除機本体１１に装着した状態で集塵ケース１４入口側の吸気口２１は吸引口１５を開口した吸引路２２に連通し、他方、集塵ケース１４出口側の通気口２３は電動送風機２０に連通している。
【００２４】
集塵ケース１４は図３に示すように、塵埃を含む空気を取り入れ旋回気流を発生させる円筒状の１次旋回室２４、１次旋回室２４に連通し、その下方に位置する一部分が円弧形状の２次旋回室２９、そして２次旋回室２９に連通し塵埃を溜める直方体状の集塵室２５から構成している。１次旋回室２４には、円筒形状の外郭内周面に対して接線方向となるように開口した吸気口２１と、中心には通気口２３に連通する円筒状の排気筒２６を配している。この排気筒２６の外周側壁にはメッシュフィルターやエッチングフィルター等の濾過フィルターによる通気部２７を構成しており、粗塵が排気筒２６を通り抜けないようにしている。加えて、排気筒２６と通気口２３との間には、第２の塵埃分離手段２８として不織布フィルターをプリーツ状に折ったものを配置している。
【００２５】
集塵室２５は、１次旋回室２４の下方にそれぞれの中心軸を水平方向に平行にずらした位置で配置されている。集塵室２５への塵埃の流入口３０は、２次旋回室２９と集塵室２５を隔てる壁部２９ａの旋回気流の上流側に形成されており、２次旋回室２９の円弧状壁部の一部分において、２次旋回室２９の円弧の接線方向に伸長されて導入側壁部２９ｂを形成し、流入口３０の開口範囲を、前記導入側壁部２９ｂまで拡張させて流入経路を構成している。
【００２６】
圧縮手段３１は集塵室２５内を上下に移動し、手動により下降し、バネ（図示せず）により上昇する平板状の圧縮板３２を設けている。圧縮板３２は、集塵室２５に擦らず、他方圧縮の際に溜まった塵埃が逃げない集塵室２５との間隙を設定（例えば１〜３ｍｍ）している。
【００２７】
また、図４ならびに図５（ａ）示すように、この圧縮板３２の集塵室２５の流入口３０から見て奥側には、下向きに２つの突出部３３が集塵室２５内に飛び出している。突出長さは、数ｍｍから十数ｍｍ程度、直径は数ｍｍ程度としている。また、突出部３３は圧縮板３２の内部に配置されているバネ３４により付勢されている。
【００２８】
以上のように構成された電気掃除機の動作について説明する。
まず、図１に示すように、電動送風機２０が発生させた吸引作用により、家屋の床面上の塵埃が吸込具１９から吸引され、集塵ケース１４は吸引ホース１６、延長管１８を通過した塵埃を含む空気を導入し、塵埃を遠心分離し、かつ微細な塵埃を濾過して溜める。そして、濾過した空気は電動送風機２０下流の排気出口（図示せず）から排気するようにしている。
【００２９】
次に、図２および図３により集塵ケース１４の動作を説明する。先ずは、圧縮手段３１のバネが圧縮板３２を上昇させて集塵室２５の上部に収納する。このときに突出部３３は集塵室２５内部に向かって突出している。そして電動送風機２０の吸引作用により吸気口２１から流入した塵埃を含む空気は、吸気口２１から１次旋回室２４へ接線方向に噴出し排気筒２６の周囲を少し旋回し、直ちに１次旋回室２４の下方に位置する２次旋回室２９に流入する。その後、２次旋回室２９に流入した空気は２次旋回室２９、１次旋回室２４の各略中央を通り通気部２７へ流れる。
【００３０】
特に、図６に示すように２次旋回室２９と集塵室２５とは平行にずらした状態であるが
、２次旋回室２９では、旋回する空気が壁部２９ａの上流端部に達すると、壁部２９ａに沿って急激に向きを変えるので、空気に含まれている塵埃は、向きを変える空気について行けず、塵埃自身の慣性力により流入口３０に飛び込んで行く、その際、旋回する空気は２次旋回室２９の外周側壁に沿って流れるが、流入口３０に対する僅かな動圧や空気への遠心力等により量は少ないが、旋回する空気の一部が流入口３０の一部から集塵室２５へ流入する。
【００３１】
集塵室２５では、空気は直ちに減速して集塵室２５内をゆっくり旋回し、流入口３０の別の一部から２次旋回室２９に戻る。そして、集塵室２５に流入した塵埃は、再びゆっくり旋回する空気により流入口３０から２次旋回室２９へ戻らず、自重により空気から分離して集塵室２５の底面に通常下から細塵（土、砂など）、粗塵（綿ごみなど）の順に溜まる。
【００３２】
このとき図７のように、集塵室２５内に入った塵埃のうち粗塵の一部が、圧縮板３２の突出部３３に引っかかり動きを止める。そしてそれを核にしてその他の粗塵が絡まり、さらに粗塵の繊維に細塵が絡み溜まって動きを止めるため流入口３０を逆流し通気部２７へ流出する塵埃を極少なくできる。また、突出部３３は、集塵室２５の奥にあるので、集塵室２５の奥のほうから塵埃が堆積して、奥から流入口３０に向けて順に堆積するため、集塵室２５に隙間なく塵埃が堆積し、集塵性能が向上する。
【００３３】
この結果、当然、通気部２７を通過して第２の塵埃分離手段２８に付着する細塵が少なくなるため、第２の塵埃分離手段２８のメンテンナンス回数が削減できる。その後、塵埃を分離した空気は２次旋回室２９の中央から１次旋回室２４へ戻り、通気部２７から外部へ排気される。
【００３４】
他方、集塵室２５へ飛び込まなかった塵埃は、通気部２７に遮られ、再び遠心旋回空気に巻き込まれ、結局、流入口３０から集塵室２５へ飛び込み、集塵室２５に溜まる。また、空気は集塵室２５内をゆっくり旋回するので、従来のように集塵室２５を大きくして空気の速度を落とす必要はなく、集塵室２５の小型化が図れる。
【００３５】
また、集塵ケース１４を水平に対して角度約４５°の傾斜で設置したので、流入口３０から集塵室２５の底面の奥２５ａまでの水平距離が短くなり、かつ集塵室２５の奥の側面１５Ｂが流入口に向かって下方へ傾斜しているので、流入口３０から集塵室２５に飛び込んだ塵埃は集塵室２５の底面の奥２５ａに向かって集まり、効率よく、隙間なく溜まり、集塵室２５の容積を十分に有効に使える。
【００３６】
なお、リント等の微細塵を含んだ空気は通気部２７を通過するが、微細塵は第２の塵埃分離手段２８に濾過され、きれいになった空気が第２の塵埃分離手段２８を通過して、電動送風機２０へと導かれる。
【００３７】
そして、掃除が終われば、電動送風機２０が停止すると共に、図８に示すように、手動により圧縮手段３１が圧縮板３２を手動により降下させて集塵室２５に溜まった塵埃を圧縮してコンパクトにする。
【００３８】
このとき、圧縮板３２と共に突出部３３も降下するが、突出部３３の近傍の圧縮された塵埃の硬さが柔らかい場合は、突出部３３は突出した状態で塵埃は圧縮される。ただ、図５（ｂ）のように、何度も圧縮を繰り返し、塵埃の硬さが増してきた場合には、バネ３４が縮み突出部３３が圧縮板３２内部へ収容される。さらに、塵埃がごく少ない場合には、圧縮板を下げると突出部３３が集塵室２５底面に当たるが、そのときもバネ３４が縮むことで突出部３３が圧縮板３２内部へ収容されるため、圧縮の妨げになることは無い。
【００３９】
以上説明してきたように、突出部３３により、塵埃が突出部３３を核にして集塵室２５の奥のほうから流入口３０に向けて順に堆積していくため、集塵室２５に隙間なく塵埃が堆積する。
【００４０】
そして、集塵室の塵埃が２次旋回室や１次旋回室側に戻ることが無いため集塵性能が向上し、排気筒の詰まり防止によるメンテナンスの軽減を図ることができる。
また、塵埃の圧縮によって、塵埃が固形化したときも、つかえることなく圧縮することができる。
【００４１】
なお、バネ３４は、本実施の形態のようなコイルバネに限定されるものではなく板バネを用いてもかまわないし、ゴムやスポンジのような弾性体でもかまわない。また、空気などの流体を封入したゴムの袋状の部材を用いてもかまわない。
また、突出部は２つと説明したがこれに限られることは無く、配置個数と位置は適宜最適な位置に設計できるものである。
【産業上の利用可能性】
【００４２】
以上のように、本発明にかかる電気掃除機は、１次旋回室の下部に連通し一部分に円弧形状を有する２次旋回室と、２次旋回室と連通し２次旋回室からの塵埃を溜める集塵室と、集塵室にたまった塵埃を圧縮するための集塵室の軸方向に昇降可能な圧縮板と、集塵室の中央部が、２次旋回室の軸中心より水平方向にずらして配置されることによって、２次旋回室の円周の内側に、２次旋回室と集塵室を隔てる壁部が形成され、壁部には、２次旋回室で旋回する塵埃が集塵室に流入する流入口を有し、圧縮板の底面の一部に下向きの単一または複数の突出部を流入口から見て集塵室の奥側に配設する構成とした。
これにより、集塵室内に入った塵埃は、圧縮板の突出部に引っかかり動きが止められ、流れに乗って２次旋回室や１次旋回室側に戻ることが無いため集塵性能が向上し、排気筒の詰まり防止によるメンテナンスの軽減を図ることができるため、吸引した空気に旋回成分を持たせ、遠心力により気流から塵埃を分離除去するタイプの集塵部を有した電気掃除機に適用可能である。
【符号の説明】
【００４３】
２０  電動送風機
２１  吸気口
２４  １次旋回室
２５  集塵室
２６  排気筒
２７  通気部
２９  ２次旋回室
２９ａ  壁部（２次旋回室と集塵室を隔てる壁部）
３０  流入口
３２  圧縮板
３３  突出部
３４  弾性部材（バネ）
【図１】
2013085590.tif 000003
【図２】
2013085590.tif 000004
【図３】
2013085590.tif 000005
【図５】
2013085590.tif 000006
【図６】
2013085590.tif 000007
【図７】
2013085590.tif 000008
【図８】
2013085590.tif 000009
【図９】
2013085590.tif 000010
【図１０】
2013085590.tif 000011
【図４】
2013085590.tif 000012